(57)【要約】【課題】懸濁物が含まれる排水などの処理対象水中のアンモニアを、効率的に除去／回収することを可能にするアンモニアの除去方法を提供する。【解決手段】アンモニアを吸着するとともに磁性を有する吸着材２を処理対象水１に加え、アンモニアを吸着した吸着材２を、磁性を利用して処理対象水１から回収する。【選択図】図１
2019093328.tif 000002
【特許請求の範囲】
【請求項１】
アンモニアを含む処理対象水からアンモニアを除去する方法であって、
アンモニアを吸着するとともに磁性を有する吸着材を前記処理対象水に加え、前記アンモニアを吸着した前記吸着材を、磁性を利用して前記処理対象水から回収することを特徴とするアンモニアの除去方法。
【発明の詳細な説明】
【技術分野】
【０００１】
本発明は、アンモニアを含む排水等からアンモニアを除去する方法に関する。
【背景技術】
【０００２】
アンモニアを含む窒素は富栄養化の原因物質であるため、特定施設を有する事業場（特定事業場）から排出される水（排水／廃水）の場合は、水質汚濁防止法によって、排水／廃水に含まれるアンモニア性窒素に０．４を乗じたものと亜硝酸性窒素と硝酸性窒素の合計量で１００ｍｇ／Ｌ以下にすることが義務づけられている。
【０００３】
ここで、アンモニアを含む排水からアンモニアを除去する手法としては、排水中に溶存するアンモニアを吸着材で吸着／捕捉し、この吸着材と排水を分離することで除去する手法が提案、実用化されている（例えば、特許文献１参照）。また、懸濁物を含む排水に対しては、前処理としてろ過などで固液分離を行い、分離した液体分に溶存するアンモニアを吸着材で除去することが考えられる。
【先行技術文献】
【特許文献】
【０００４】
【特許文献１】特開２００４−００８８５２号公報
【発明の概要】
【発明が解決しようとする課題】
【０００５】
しかしながら、下水や消化液のような排水に対しては、ろ過作業が大きな負担となる。したがって、懸濁物が含まれる排水に対して、直接吸着材を利用でき、吸着材と懸濁物を分離できる技術の開発が強く求められている。
【０００６】
本発明は、上記事情に鑑み、懸濁物が含まれる排水などの処理対象水中のアンモニアを、効率的に除去／回収することを可能にするアンモニアの除去方法を提供することを目的とする。
【課題を解決するための手段】
【０００７】
上記の目的を達するために、この発明は以下の手段を提供している。
【０００８】
本発明のアンモニアの除去方法は、アンモニアを含む処理対象水からアンモニアを除去する方法であって、アンモニアを吸着するとともに磁性を有する吸着材を前記処理対象水に加え、前記アンモニアを吸着した前記吸着材を、磁性を利用して前記処理対象水から回収することを特徴とする。
【発明の効果】
【０００９】
本発明のアンモニアの除去方法においては、懸濁物が含まれる排水などの処理対象水中のアンモニアを、効率的に吸着材で吸着除去することが可能になる。
【図面の簡単な説明】
【００１０】
【図１】本発明の一実施形態に係るアンモニアの除去方法、除去システムを示す図である。
【図２】本発明の一実施形態に係るアンモニアの除去方法、除去システムの変更例を示す図である。
【発明を実施するための形態】
【００１１】
以下、図１を参照し、本発明の一実施形態に係るアンモニアの除去方法について説明する。ここで、本実施形態は、下水や消化液などのように、アンモニアを含み、且つ懸濁物も含む排水（廃水、処理対象水（液））からアンモニアを除去する方法に関するものである。
【００１２】
はじめに、本実施形態のアンモニアの除去方法では、図１に示すように、例えば、下水や消化液などの処理対象水１中からアンモニアを回収するにあたり、アンモニアの吸着性能を有する吸着材２を処理対象水１に投入して処理対象水１中のアンモニアを吸着材２に吸着させる。そして、アンモニア回収槽３（例えば、最終沈殿池など）でアンモニアを吸着した吸着材２と汚泥（懸濁物）４／処理水５を固液分離する。また、吸着材２からアンモニアを脱離させる。さらに、吸着材２を再生処理して再利用する。
【００１３】
ここで、本実施形態のアンモニアを除去／回収するためのアンモニア除去システムＡのアンモニア回収槽３には、吸着材回収手段６が設けられ、吸着材回収手段６によってアンモニアを吸着した吸着材２ひいてはアンモニアを回収する。
【００１４】
吸着材回収手段６としては、まず、予め吸着材２に磁性をもたせておき、磁性を利用して吸着材２を回収するように構成されている。例えば、吸着材回収手段６は、軸線周りに回転する回転軸７と、回転軸７に巻き回され、回転軸７の回転とともに回動する無端状で磁着性を有する磁着体８とを備え、磁着体８をアンモニア回収槽３内に挿入配置して構成する。
【００１５】
また、アンモニア回収槽３は、底部３ａが勾配を備えて形成されるとともに、勾配の下部側に処理対象水１中の吸着材２等が誘導されて集まる集積領域Ｒが形成されている。そして、吸着材回収手段６が集積領域Ｒ上に磁着体８を配して設けられている。
【００１６】
このように構成した場合には、アンモニア回収槽３の処理対象水１中に挿入配置された磁着体８に、磁性によって吸着材２が付着する。回転軸７を回して磁着体８を回動させると、順次吸着材２が磁着体８に付着するとともに処理対象水１、アンモニア回収槽３の外部に搬送される。このとき、順次スクレーパ９で剥がすなどして磁着体８から吸着材２を分離することで、吸着材２ひいてはアンモニアを回収除去することが可能になる。
【００１７】
したがって、本実施形態のアンモニアの除去方法においては、排水をろ過工程などで固液分離することなく、アンモニアを回収／除去することができる。
【００１８】
よって、本実施形態のアンモニアの除去方法によれば、懸濁物が含まれる排水などの処理対象水１中のアンモニアを効率的に除去／回収することが可能になる。
【００１９】
また、アンモニアを回収することで、消化液の場合は後段の窒素処理を不要にできる。さらに、既存の施設に固液分離機械を設置するだけ、既存の施設を有効利用することも可能になる。
【００２０】
以上、本発明に係るアンモニアの除去方法の一実施形態について説明したが、本発明は上記の一実施形態に限定されるものではなく、その趣旨を逸脱しない範囲で適宜変更可能である。
【００２１】
例えば、本発明は、アンモニアを含むあらゆる処理対象水からアンモニアを除去するために適用可能であり、処理対象水を排水に限定する必要はない。
【００２２】
また、図２に示すように、アンモニアストリッピング法を用いてアンモニアを分離させるとともに懸濁物を含まない水に溶解させ、このアンモニア水１に吸着材２を投入するようにしてもよい（曝気槽と図１のシステムを組み合わせてもよい）。
【００２３】
この場合には、下水や消化液のような懸濁物を含む排水１（１ａ）からろ過工程なくアンモニア純度の高いアンモニアを回収することが可能になる。また、不純物の少ないアンモニアを回収することが可能になる。さらに、既存の施設で固液分離する（回収槽３に対して吸着材２を投入し回収する）だけなので、既存の施設を有効利用できる。
【符号の説明】
【００２４】
１    処理対象水
２    吸着材
３    アンモニア回収槽
４    懸濁物
５    処理水
６    吸着材回収手段
７    回転軸
８    磁着体
Ａ    アンモニア除去システム
【図１】
2019093328.tif 000003
【図２】
2019093328.tif 000004